(57)【要約】【課題】住居人が屋室内のどこに居ても屋外インターホン部の来訪者による呼出音を容易に聞くことができ、来訪者と住居人との直接の相互通話を可能としたインターホンシステムを提供する。【解決手段】屋内インターホン部ｈｉに、屋内住居人が所持する携帯電話機Ｋと近距離無線通信可能としたブルートゥースインターホンアダプタｂｔｉを備え、当該ブルートゥースインターホンアダプタｂｔｉを介しての音声信号の送受により屋外インターホン部ｈｏと携帯電話機Ｋとの間での相互通話を可能にする。【選択図】図１
2014127814.tif 000002
【特許請求の範囲】
【請求項１】
住戸の屋外に設置される屋外インターホン部と、住戸の屋内に設置され、信号線を介して前記屋外インターホン部と接続される親機である屋内インターホン部とを備え、前記信号線を介しての音声信号の送受により屋外インターホン部と屋内インターホン部との間で通話を可能としたインターホンシステムにおいて、前記屋内インターホン部には、屋内住居人が所持する携帯電話機と近距離無線通信可能としたブルートゥースインターホンアダプタを備え、当該ブルートゥースインターホンアダプタを介しての音声信号の送受により屋外インターホン部と携帯電話機との間での相互通話を可能としたことを特徴とするインターホンシステム。
【請求項２】
来訪者を撮像する撮像手段を屋外インターホン部に具備し、撮像手段で撮影された映像信号が信号線を介して屋内インターホン部に伝送され、屋外インターホン部から受け取った映像信号を屋内インターホン部が具備する表示部に表示すると共に、前記ブルートゥースインターホンアダプタを介して屋内インターホン部から携帯電話機へ前記映像信号を伝送することを特徴とする請求項１記載のインターホンシステム。
【請求項３】
ブルートゥースインターホンアダプタは、屋内の各室内にいる複数の住居人が各所持する携帯電話機それぞれに対し屋外インターホン部側との相互通話が可能となるよう認証（ペアリング）機能を備えている請求項１または２記載のインターホンシステム。
【請求項４】
ブルートゥースインターホンアダプタは、屋内の各室内にいる複数の住居人が所持する各携帯電話機のうち最初に音声信号を受信した携帯電話機に対し優先的に屋外インターホン部側との相互通話が可能となるよう優先送信機能を備えている請求項１乃至３のいずれか記載のインターホンシステム。
【発明の詳細な説明】
【技術分野】
【０００１】
本発明は、携帯情報機器で数ｍ程度の機器間接続に使われる短距離無線通信技術の一つであるブルートゥース（登録商標）の機能を利用したインターホンシステムに関する。
【背景技術】
【０００２】
従来におけるインターホンシステムは、住戸の屋外に設置される屋外インターホン部と、住戸の屋内に設置され、信号線を介して前記屋外インターホン部と接続される親機である屋内インターホン部とを備え、前記信号線を介しての音声信号の送受により屋外インターホン部と屋内インターホン部との間で通話を可能にしている。
【先行技術文献】
【特許文献】
【０００３】
【特許文献１】特に無し
【発明の概要】
【発明が解決しようとする課題】
【０００４】
しかしながら、従来のインターホンシステムにおいては、屋外インターホン部の呼出音が聞こえた際には、住居人は親機である屋内インターホン部の設置場所まで行き、当該屋内インターホン部の操作で屋外インターホン部との相互通話が可能となっている。このため、屋内において親機である屋内インターホン部から離れた場所、例えば屋内の別の部屋もしくは上下階等では屋外インターホン部の呼出音が聞こえ難くなり、相互通話は不可能となる。
【０００５】
特に、住居人が被介護者である場合では、屋外インターホン部の呼出音が聞こえても、親機である屋内インターホン部の設置場所まで行くことができず、この場合でも介護者が居なければ相互通話は不可能となる。
【０００６】
そこで、本発明は、叙上のような従来存した諸事情に鑑み案出されたもので、住居人が屋室内のどこに居ても屋外インターホン部の来訪者による呼出音を容易に聞くことができ、来訪者と住居人との直接の相互通話を可能としたインターホンシステムを提供することを目的とする。
【課題を解決するための手段】
【０００７】
上述した課題を解決するために、本発明にあっては、住戸の屋外に設置される屋外インターホン部と、住戸の屋内に設置され、信号線を介して前記屋外インターホン部と接続される親機である屋内インターホン部とを備え、前記信号線を介しての音声信号の送受により屋外インターホン部と屋内インターホン部との間で通話を可能としたインターホンシステムにおいて、前記屋内インターホン部には、屋内住居人が所持する携帯電話機と近距離無線通信可能としたブルートゥースインターホンアダプタを備え、当該ブルートゥースインターホンアダプタを介しての音声信号の送受により屋外インターホン部と携帯電話機との間での相互通話を可能としたことを特徴とする。
【０００８】
来訪者を撮像する撮像手段を屋外インターホン部に具備し、撮像手段で撮影された映像信号が信号線を介して屋内インターホン部に伝送され、屋外インターホン部から受け取った映像信号を屋内インターホン部が具備する表示部に表示すると共に、前記ブルートゥースインターホンアダプタを介して屋内インターホン部から携帯電話機へ前記映像信号を伝送することを特徴とする。
【０００９】
ブルートゥースインターホンアダプタは、屋内の各室内にいる複数の住居人が各所持する携帯電話機それぞれに対し屋外インターホン部側との相互通話が可能となるよう認証（ペアリング）機能を備えている。
【００１０】
ブルートゥースインターホンアダプタは、屋内の各室内にいる複数の住居人が所持する各携帯電話機のうち最初に音声信号を受信した携帯電話機に対し優先的に屋外インターホン部側との相互通話が可能となるよう優先送信機能を備えている。
【発明の効果】
【００１１】
本発明によれば、住居人が屋室内のどこに居ても屋外インターホン部の来訪者による呼出音を容易に聞くことができ、来訪者と住居人との直接の相互通話が可能となる。
【００１２】
すなわち、本発明では、屋内住居人が所持する携帯電話機と近距離無線通信可能としたブルートゥースインターホンアダプタを備え、当該ブルートゥースインターホンアダプタを介しての音声信号の送受により屋外インターホン部と携帯電話機との間での相互通話を可能にしているので、屋内において親機である屋内インターホン部から離れた場所であっても、携帯電話機を通じて屋外インターホン部の呼出音を容易に聞ことができ、この携帯電話機を介して来訪者との相互通話が可能となる。
【００１３】
また、前記ブルートゥースインターホンアダプタを介して屋内インターホン部から携帯電話機へ前記映像信号を伝送するので、屋内において親機である屋内インターホン部から離れた場所であっても、来訪者が誰であるかを容易に知ることができる。
【００１４】
さらに、ブルートゥースインターホンアダプタは、屋内の各室内にいる複数の住居人が各所持する携帯電話機それぞれに対し屋外インターホン部側との相互通話が可能となるよう認証（ペアリング）機能を備えているので、住居人以外の第３者によるインターホンシステムの使用を未然に防止することができ、本システムのセキュリテイが維持される。
【００１５】
さらにまた、ブルートゥースインターホンアダプタは、屋内の各室内にいる複数の住居人が所持する各携帯電話機のうち最初に音声信号を受信した携帯電話機に対し優先的に屋外インターホン部側との相互通話が可能となるよう優先送信機能を備えているので、屋内の各室内にいる複数の住居人が各所持する携帯電話機それぞれが個別に相互通話をしてしまうという煩雑さを未然に防止することができる。
【図面の簡単な説明】
【００１６】
【図１】本発明を実施するための一形態を示すインターホンシステムのブロック構成図である。
【図２】同じくインターホンシステムによる通話のための処理手順を説明するフローチャート図である。
【図３】携帯電話機側のアプリケーションによる通話のための処理手順を示すフローチャートである。
【図４】図２のペアリング処理の詳細を説明するフローチャートである。
【図５】携帯電話機側のスピーカとマイクの作動手順を説明するためのフローチャートである。
【発明を実施するための形態】
【００１７】
以下、図面を参照して本発明に係るインターホンシステムの実施の一形態を詳細に説明する。
本システムは、図１に示すように、住戸の屋外に設置される屋外インターホン部ｈｏと、住戸の屋内に設置される親機としての屋内インターホン部ｈｉと、屋内住居人が所持する携帯電話機Ｋと近距離無線通信可能としたブルートゥースインターホンアダプタｂｔｉとから概ね構成されている。
【００１８】
屋外インターホン部ｈｏと屋内インターホン部ｈｉとは、従来と同じように信号線を介して互いに接続されており、当該信号線を介しての音声信号の送受により屋外インターホン部と屋内インターホン部との間で通話が可能となっている。なお、屋内インターホン部ｈｉ自体は差込プラグＰＬにより不図示の電源に接続されている。
【００１９】
ブルートゥースインターホンアダプタｂｔｉは、屋内インターホン部ｈｉに対し外付もしくは内蔵されており、ブルートゥースインターホンアダプタｂｔｉ自体はＣＰＵ１により総括的に制御される。
【００２０】
すなわち、前記ＣＰＵ１は、Ｉ／Ｆ（インターフェース部）２に接続され、当該Ｉ／Ｆ（インターフェース部）２には、屋内インターホン部ｈｉ等が接続される。
【００２１】
また、Ｉ／Ｆ（インターフェース部）２は、充電回路等による電源部９、差込プラグ１０ａを具備したＡＣアダプタ１０に接続され、差込プラグ１０ａの不図示の電源コンセントへの差込により、電源部９（充電回路）に電力を供給している。
【００２２】
また、前記ＣＰＵ１は、アプリケーション起動部３を介してブルートゥースモジュール４に接続され、当該ブルートゥースモジュール４自体は動作表示ランプとしての、接地されたＬＥＤランプ５に接続されている。
【００２３】
さらに、前記ＣＰＵ１は、呼出部７を介してブルートゥースモジュール４に接続されている。
【００２４】
さらにまた、前記ＣＰＵ１は、音声部８を介してブルートゥースモジュール４に双方向通信可能に接続されている。
【００２５】
前記ブルートゥースモジュール４は、自体に備えた送受信アンテナ４ａを介して、例えばスマートフォン（登録商標）等の携帯電話機Ｋとの双方向無線通信が可能となっている。なお、スマートフォン（登録商標）とは、携帯電話とパソコン・ＰＤＡの機能を組合わせたものである。
【００２６】
前記ブルートゥースモジュール４を構成するブルートゥース（登録商標）は、ノートパソコンやＰＤＡ（携帯情報端末）、携帯電話機および周辺機器などを、ＩＥＥＥ標準による２．４５ＧＨｚ帯の電波を利用した無線で接続し、最高２４Ｍｂｐｓの速度で音声や映像データの送受が可能となっている。
【００２７】
このブルートゥース（登録商標）は、赤外線を利用するＩｒＤＡと違って、無線を利用するため機器間の距離が数１０メートル以内（電波強度約２．５ｍＷ）であれば障害物があっても利用することができる。また、用途や機器によってプロトコルを「Ｂｌｕｅｔｏｏｔｈプロファイル」として個別に策定しており、携帯電話機などではヘッドセットを接続するためのＨＳＰ(Ｈｅａｄ  Ｓｅｔ  Ｐｒｏｆｉｌｅ)やヘッドセットでハンズフリー通話を実現するためのプロファイルでＨＳＰの機能に加え、通信の発信・着信機能を持つＨＦＰ（Ｈａｎｄｓ  Ｆｒｅｅ  Ｐｒｏｆｉｌｅ）などがある。
【００２８】
また、前記屋外インターホン部ｈｏには、来訪者を撮像するための撮像手段Ｑを具備しており、当該撮像手段Ｑで撮影された映像信号が信号線を介して屋内インターホン部ｈｉに伝送され、この屋外インターホン部ｈｏから受け取った映像信号を、屋内インターホン部ｈｉが具備する表示部ｓに送信して表示されるようになっている。このとき映像信号は、ブルートゥースインターホンアダプタｂｔｉのブルートゥースモジュール４自体に備えた送受信アンテナ４ａを介して屋内インターホン部ｈｉから携帯電話機Ｋへ伝送される。
【００２９】
さらに、前記ブルートゥースインターホンアダプタｂｔｉは、屋内の各室内にいる複数の住居人が各所持する携帯電話機Ｋそれぞれに対し屋外インターホン部ｈｏ側との相互通話が可能となるよう認証（ペアリング）機能を備えている。この認証後において、付属のソフトウエアーがダウンロードされ、本システムの起動が実行されるものとなっている。
【００３０】
次に、以上のように構成されたインターホンシステムにおける携帯電話機Ｋに対しブルートゥースインターホンアダプタｂｔｉのＣＰＵ１が実行する処理手順について図２に示すフローチャートを参照して説明する。なお、Ｉ／Ｆ（インターフェース部）２は、ＡＣアダプタ１０（プラグ１０ａ）を介して電源コンセントに接続されている電源部９（充電回路）により電源が供給可能な状態となっている。
【００３１】
先ず、ステップｓ１において、ＣＰＵ１は、携帯電話機Ｋ側とブルートゥースインターホンアダプタｂｔｉ（ブルートゥースモジュール４）側との認証（ペアリング）を行うことで登録が実行される。
【００３２】
ステップｓ２では、ＣＰＵ１は、ブルートゥースインターホンアダプタｂｔｉの呼出部７に対し、屋外インターホン部ｈｏ側からの呼出信号がくるまで待機状態とする。
【００３３】
ステップｓ３では、ＣＰＵ１は、ブルートゥースインターホンアダプタｂｔｉの呼出部７に対し、屋外インターホン部ｈｏ側からの呼出信号があった際に、ブルートゥースインターホンアダプタｂｔｉのアプリケーション起動部３を介してブルートゥースモジュール４を立ち上げる。このとき、ＬＥＤ５が点灯する。
【００３４】
ステップｓ４では、ＣＰＵ１は、屋外インターホン部ｈｏと携帯電話機Ｋとの間での相互通話を開始する。このとき、屋外インターホン部ｈｏからの音声信号は、ブルートゥースインターホンアダプタｂｔｉの音声部８を介してブルートゥースモジュール４へ送信され、ブルートゥースモジュール４自体に備えた送受信アンテナ４ａを介して携帯電話機Ｋへ伝送される。一方、携帯電話機Ｋからの音声信号は、ブルートゥースモジュール４へ送信（送受信アンテナ４ａによる受信）され、ブルートゥースインターホンアダプタｂｔｉの音声部８およびＩ／Ｆ（インターフェース部）２を介して屋外インターホン部ｈｏ側へ伝送される。而して、屋内インターホン部ｈｉから離れた場所に居ながらにして来訪者と住居人との相互会話が可能となる。
【００３５】
ステップｓ５では、ＣＰＵ１は、屋外インターホン部ｈｏと携帯電話機Ｋとの間での相互通話を終了する。その後、ステップｓ２に戻り、以後は上記と同様の手順が繰り返される。
【００３６】
次に、以上のように構成されたインターホンシステムにおける携帯電話機ＫのＣＰＵ（図示せず）が実行する処理手順について図３に示すフローチャートを参照して説明する。
【００３７】
先ず、ステップｓ１１において、携帯電話機ＫのＣＰＵは、ブルートゥースアプリによる起動を開始する。
【００３８】
ステップｓ１２では、携帯電話機ＫのＣＰＵは、屋内住居人の切替操作によりブルートゥースモジュール４への接続要求がなされたか否かの判定を行う。この判定が満たされるまで（接続要求がなされるまで）ループ待機する。判定が満たされれば（接続要求がなされたら）次のステップｓ１３へ移行する。
【００３９】
ステップｓ１３では、携帯電話機ＫのＣＰＵは、屋内住居人の切替操作により通話許可がなされたか否かの判定を行う。この判定が満たされなければ（通話許可がなされないとき）ステップｓ１２へ戻って以後は同じ手順が繰り返される。判定が満たされれば（通話許可がなされたら）次のステップｓ１４へ移行する。
【００４０】
ステップｓ１４では、携帯電話機ＫのＣＰＵは、通話処理を実行させる（後述の図５参照）。
【００４１】
ステップｓ１５では、携帯電話機ＫのＣＰＵは、ブルートゥースアプリが終了したか否かを判定する。この判定が満たされなければ（アプリ終了しないとき）ステップｓ１２へ戻って以後は同じ手順が繰り返される。判定が満たされれば（アプリ終了のとき）次のステップｓ１６へ移行する。
【００４２】
ステップｓ１６では、携帯電話機ＫのＣＰＵは、ブルートゥースアプリによる起動を停止する。
【００４３】
次に、以上のように構成されたインターホンシステムにおける携帯電話機Ｋ側のＣＰＵ（図示せず）と、クライアント側であるブルートゥースインターホンアダプタｂｔｉ（ブルートゥースモジュール４）のＣＰＵ１が実行する前記図２のペアリングの処理手順について図４のフローチャートを参照して説明する。
【００４４】
先ず、ステップｓ２１において、携帯電話機Ｋ側のＣＰＵは、屋内住居人の操作により当該携帯電話機Ｋのブルートゥース機能をオンにしたことを認識（記憶）する。
【００４５】
このとき、ステップｓ２２において、クライアント側ではブルートゥースインターホンアダプタｂｔｉの電源が投入される。
【００４６】
ステップｓ２３において、ブルートゥースインターホンアダプタｂｔｉのＣＰＵ１は、ブルートゥースモジュール４から送受信アンテナ４ａを介して携帯電話機Ｋ側へペアリング（認証）のためのＩＤ情報を発信する。
【００４７】
ステップｓ２４において、携帯電話機Ｋ側のＣＰＵは、ブルートゥースモジュール４からからのＩＤ情報に基づき、ブルートゥースインターホンアダプタｂｔｉ（及び屋外インターホン部ｈｏ側）の機器が検索され携帯電話機Ｋの表示部に表示される。
【００４８】
ステップｓ２５において、携帯電話機Ｋ側のＣＰＵは、ブルートゥースインターホンアダプタｂｔｉ（及び屋外インターホン部ｈｏ側）の機器が選択されたか否かを判定する。判定が満たされない（選択されない）場合には、本フローは終了する。判定が満たされたら（選択された）場合には、ステップｓ２６へ移行する。
【００４９】
ステップｓ２６において、携帯電話機Ｋ側のＣＰＵは、屋内住居人の操作により当該携帯電話機Ｋのパスキーが入力されたことを認識（記憶）する。
【００５０】
ステップｓ２７において、ブルートゥースインターホンアダプタｂｔｉのＣＰＵ１は、携帯電話機Ｋから屋内住居人の操作により入力されたパスキーを送受信アンテナ４ａを介して受信する。
【００５１】
ステップｓ２８において、ブルートゥースインターホンアダプタｂｔｉのＣＰＵ１は、携帯電話機Ｋから屋内住居人の操作により入力されたパスキーがブルートゥースインターホンアダプタｂｔｉのパスキーと合致したか否かを判定する。この判定が満たされた（パスコーが合致した）場合は、ステップｓ２９に移行する。この判定が満たされない（パスコーが合致しない）場合は、本フローは終了する。
【００５２】
ステップｓ２９では、ブルートゥースインターホンアダプタｂｔｉのＣＰＵ１は、ブルートゥースインターホンアダプタｂｔｉ（及び屋外インターホン部ｈｏ側）の機器情報が送受信アンテナ４ａを介して携帯電話機Ｋ側へ発信する。
【００５３】
ステップｓ３０では、携帯電話機Ｋ側のＣＰＵは、ブルートゥースインターホンアダプタｂｔｉからの機器情報を受信し、携帯電話機Ｋ側のＣＰＵに記憶する。
【００５４】
ステップｓ３１では、携帯電話機Ｋ側のＣＰＵは、ブルートゥースインターホンアダプタｂｔｉ（及び屋外インターホン部ｈｏ側）の機器情報が登録されたか否かを判定する。この判定が満たされた（機器登録された）場合は、ステップｓ３２に移行する。この判定が満たされない（機器登録されない）場合は、本フローは終了する。
【００５５】
ステップｓ３２では、携帯電話機Ｋ側のＣＰＵは、上記ステップｓ２３において受信されたペアリング（認証）のためのＩＤ情報を携帯電話機Ｋ側の不図示のＲＡＭ等に登録（記憶）する。そして、携帯電話機Ｋ側及びクライアント側の本フローは終了する。
【００５６】
次に、以上のように構成されたインターホンシステムにおける携帯電話機Ｋ側のＣＰＵ（図示せず）が実行する、図３に示すステップ１４の通話内容（携帯電話機Ｋ側のスピーカとマイクを備えた例えばヘッドセット等による作動）の処理手順について図５のフローチャートを参照して説明する。
【００５７】
先ず、ステップｓ４１では、携帯電話機Ｋ側のＣＰＵは、当該携帯電話機Ｋのスピーカとマイクの初期設定を実行する。
【００５８】
ステップｓ４２では、携帯電話機Ｋ側のＣＰＵは、外来訪問者からの通話内容のストリーム入力処理を行う。
【００５９】
ステップｓ４３では、携帯電話機Ｋ側のＣＰＵは、当該携帯電話機Ｋのスピーカより外来訪問者からの通話内容の音声出力を行う。
【００６０】
一方、ステップｓ４４では、携帯電話機Ｋ側のＣＰＵは、当該携帯電話機Ｋのマイクより屋内住居人の通話内容の音声入力を行う。
【００６１】
ステップｓ４５では、携帯電話機Ｋ側のＣＰＵは、屋内住居人の通話内容のストリーム出力処理を行う。
【００６２】
ステップｓ４６では、携帯電話機Ｋ側のＣＰＵは、外来訪問者と屋内住居人との通話が終了したか否かの判定を行う。この判定が満たされない（通話が終了しない）場合は、ステップｓ４２に戻って以後は同じ処理が実行される。この判定が満たされた（通話が終了した）場合は、ステップｓ４７に以降する。
【００６３】
ステップｓ４７では、携帯電話機Ｋ側のＣＰＵは、当該携帯電話機Ｋの入出力バッファがクリアされ、本フローは終了し、その後図３に示すステップｓ１１移行の処理が実行される。
【００６４】
なお、図３及び図５に示すフローチャートは、携帯電話機Ｋとしてヘッドセットを具備したアンドロイド（登録商標）端末を採用したアプリケーション起動に基づいて説明してあるが、これに限定されること無く、他のモバイル機器に応用しても良い。
【００６５】
以上説明したように、本実施形態においては、携帯電話機Ｋを通じて屋外インターホン部の呼出音を容易に聞くことができ、この携帯電話機Ｋを介して来訪者との相互通話が容易に可能となる。
【符号の説明】
【００６６】
Ｑ      撮像手段
ｓ      表示部
Ｋ      携帯電話機
ｂｔｉ  ブルートゥースインターホンアダプタ
ｈｉ    屋内インターホン部
ｈｏ    屋外インターホン部
ＰＬ    差込プラグ        
１      ＣＰＵ
２      Ｉ／Ｆ（インターフェース部）
３      アプリケーション起動部
４      ブルートゥースモジュール
５      ＬＥＤランプ
６      ダイオード
７      呼出部
８      音声部
９      電源部
１０    ＡＣアダプタ
１０ａ  差込プラグ
【図１】
2014127814.tif 000003
【図２】
2014127814.tif 000004
【図３】
2014127814.tif 000005
【図４】
2014127814.tif 000006
【図５】
2014127814.tif 000007